(57)【要約】    【課題】  大量のミネラル水を経済的に効率よく製造でき、ミネラル溶出素材の取り替えなどのメンテナンスを容易にできる、ミネラル水製造装置を提供する。    【解決手段】  略円柱形状の容器本体１と、容器本体１の内部に設けられ麦飯石とサンゴ石を収容する収容部２とを備え、水を容器本体１の円柱面４の略接線方向へ供給するように構成した。水が容器本体１の円柱面４に沿って容器本体１内を回転しながら流れることによって水が麦飯石とサンゴ石に効果的に接触し、大量のミネラル水を効率よく製造することができる。    【選択図】  図１
2005230654.tif 000002
【特許請求の範囲】
【請求項１】
略円柱形状の容器本体と、この容器本体の内部に設けられミネラル付与材を収容する収容部とを備え、水が前記容器本体の円柱面の略接線方向へ供給されるように構成したことを特徴とするミネラル水製造装置。
【請求項２】
前記収容部は、多数の孔部を有する略円柱形状に形成されるとともに、ミネラル付与材は、それぞれ前記収容部の円柱面近傍にのみ収容されるように構成したことを特徴とする請求項１記載のミネラル水製造装置。
【発明の詳細な説明】
【技術分野】
【０００１】
本発明は、原水にミネラル成分を付与してミネラル水を製造するためのミネラル水製造装置に関する。
【背景技術】
【０００２】
従来、原水にミネラル成分を付与してミネラル水を製造するためのミネラル水製造装置として、麦飯石やサンゴ石などのミネラル溶出素材を使用したものが一般に知られている。そして、短時間にミネラル水を製造するために、例えば、粉末状の麦飯石などのミネラル溶出素材を水道水で攪拌するようにしたもの（特許文献１）、超音波を照射するようにしたもの（特許文献２）、ミネラル付与材を移動可能にしたもの（特許文献３）などが開示されている。
【特許文献１】特開平８−２０６６６６号公報
【特許文献２】特開平９−１１７７７９号公報
【特許文献３】特開平１０−５７７４号公報
【発明の開示】
【発明が解決しようとする課題】
【０００３】
しかしながら、上記の従来のミネラル水製造装置では、少量のミネラル水を製造することを目的としており、大量のミネラル水を製造するためには装置を大型化しなければならず、大型化して同様の効果を得ようとすると使用するミネラル溶出素材の量も多くしなければならず不経済であるとともに、ミネラル溶出素材を移動可能に収容しているため使用済みのミネラル溶出素材の回収が面倒である、といった問題があった。
【０００４】
そこで、本発明は、大量のミネラル水を経済的に効率よく製造でき、ミネラル溶出素材の取り替えなどのメンテナンスを容易にできる、ミネラル水製造装置を提供することをその目的とする。
【課題を解決するための手段】
【０００５】
本発明の請求項１記載のミネラル水製造装置は、略円柱形状の容器本体と、この容器本体の内部に設けられミネラル付与材を収容する収容部とを備え、水が前記容器本体の円柱面の略接線方向へ供給されるように構成したことを特徴とする。
【０００６】
本発明の請求項２記載のミネラル水製造装置は、請求項１において、前記収容部は、多数の孔部を有する略円柱形状に形成されるとともに、ミネラル付与材は、それぞれ前記収容部の円柱面近傍にのみ収容されるように構成したことを特徴とする。
【発明の効果】
【０００７】
本発明の請求項１におけるミネラル水製造装置では、水が容器本体の円柱面の略接線方向へ供給されるように構成したので、水が容器本体の円柱面に沿って容器本体内を回転しながら流れることによって水がミネラル付与材に効果的に接触し、大量のミネラル水を効率よく製造することができる。
【０００８】
本発明の請求項２におけるミネラル水製造装置では、ミネラル付与材は、それぞれ収容部の円柱面近傍にのみ収容されるように構成したので、容器本体の円柱面に沿って容器本体内を回転しながら流れる水が収容部の円柱面に沿って流れることによって、水がミネラル付与材に接触する時間が長くなって大量のミネラル水を効率よく製造することができるとともに、ミネラル付与材の取り替えなどのメンテナンスを容易にできる。
【発明を実施するための最良の形態】
【０００９】
以下、本発明のミネラル水製造装置における好ましい実施例について、添付した図面を参照しながら説明する。
【実施例１】
【００１０】
本発明のミネラル水製造装置の一実施例の構成を図１〜図４に示す。１は容器本体であり、略円柱形状にステンレス鋼によって形成されている。なお、本実施例では、容器本体１の容積は２４リットルとなっている。そして、この容器本体１の内部には、ミネラル付与材としての麦飯石とサンゴ石を収容する収容部２が設けられている。また、３は給水パイプであり、この給水パイプ３は、容器本体１の円柱面４の接線Ｘの近傍から容器本体１へ接続し、水が容器本体１の円柱面４の略接線方向へ供給されるように構成されている。
【００１１】
容器本体１は、上部が開口した容器状の本体部５と、この本体部５の上部の開口を閉塞する蓋部６とからなる。そして、この蓋部６は本体部５の上端に一体に形成されたフランジ７にパッキンを介して密着して固定されている。また、容器本体１の底部中央には、容器本体１内で処理された生成水を流出する流出パイプ８が接続している。この流出パイプ８は、不要な水を外部へ排出するための排出パイプ９と、容器本体１から流出した生成水を循環させる循環ポンプ10へ接続する循環ポンプ接続パイプ11とに分岐している。そして、循環ポンプ10の吐出側は、さらに生成水を循環ポンプ10から循環させて容器本体１へ戻すための循環パイプ12と、生成水を外部へ供給する生成水パイプ13とに分岐している。循環パイプ12は給水パイプ３と同様に、容器本体１の円柱面４の接線Ｘの近傍から容器本体１へ接続し、水が容器本体１の円柱面４の略接線方向へ供給されるように構成されている。
【００１２】
蓋部６の中央には、容器本体１内のエアを自動制御により抜くための自動エア抜き弁14が設けられている。また、給水パイプ３の途中には、減圧弁15が設けられており、給水量を調節できるようになっている。給水パイプ３の端部には筐体16の外部に位置して給水口17が形成されており、生成水パイプ13の端部には筐体16の外部に位置して生成水口18が形成されている。また、排出パイプ９の端部には筐体16の外部に位置して排出口19が形成されている。なお、20は排出口19に設けられ排出口19を開閉するための排出弁である。
【００１３】
収容部２は、ステンレス鋼によって略円柱形状に形成された第１の収容部21と第２の収容部22から構成される。第１の収容部21は、第１の収容部21の外周を形成する略円柱形状の外周部23と、この外周部23から一定の間隔を隔てて内側に設けられ第１の収容部21の内周を形成する略円柱形状の内周部24と、第１の収容部21の底部において外周部23と内周部24とを接続する底面部25とから形成されている。そして、外周部23と内周部24にはほぼ全面にわたって多数の孔部26，27がパンチングで形成され、この孔部26，27は水が第１の収容部21の外側から外周部23と内周部24を通過して第１の収容部21の内側へ流通できるようになっている。また、本体部５の底面には、第１の収容部21を本体部５の底面の定位置に固定するためのストッパー28が上方に向かって本体部５と一体に形成されている。
【００１４】
第２の収容部22は、第２の収容部22の外周を形成する略円柱形状の外周部29と、この外周部29から一定の間隔を隔てて内側に設けられ第２の収容部22の内周を形成する略円柱形状の内周部30と、第２の収容部22の底部において外周部29と内周部30とを接続する底面部31と、内周部30の上端に内周部30の上面を閉塞して設けられた上面部32と、底面部31から下方に延設され第１の収容部21の内周部24の内側に嵌合する脚部33とから形成されている。そして、外周部29と内周部30にはほぼ全面にわたって多数の孔部34，35がパンチングで形成され、この孔部34，35は水が第２の収容部22の外側から外周部29と内周部30を通過して第２の収容部22の内側へ流通できるようになっている。
【００１５】
そして、第１の収容部21の外周部23と内周部24と底面部25とから囲まれた空間には、サンゴ石が収容され、第２の収容部22の外周部29と内周部30と底面部31とから囲まれた空間には、麦飯石が収容されるようになっている。このように、サンゴ石と麦飯石は、それぞれ第１の収容部21と第２の収容部22の円柱面近傍にのみ収容されるように構成されている。
【００１６】
麦飯石は、塩素やトリハロメタンに対し強い吸着力を示すとともに、鉄、マンガン、マグネシウムなどのミネラルを溶出して水質を調整し、水中の溶存酸素量を豊富にする働きを有する。さらに、α線や遠赤外線を放射し、水のクラスター（分子集団）を分解して小さくし、水素イオンを増加させて活性水に変化させるという働きがある。また、サンゴ石は、カルシウム、マグネシウムなどのミネラルを豊富に含み、銅、鉛、亜鉛などの重金属のイオンを除去する作用を有する。なお、本実施例ではミネラル付与材として麦飯石とサンゴ石を用いて説明しているが、これらに限定されるものではなく、これ以外の種々のミネラル付与材を用いてもよい。
【００１７】
なお、第２の収容部22に収容される麦飯石は、容器本体１中の水の重量の約１０％とするのが好ましい。すなわち容器本体１の容量が２４リットルであって水の重量が２４キログラムであるので、麦飯石は２キログラム程度とするのが好ましい。また、第１の収容部21に収容されるサンゴ石は、麦飯石の重量の約１０％とするのが好ましい。すなわち麦飯石は２キログラム程度であるので、麦飯石は２００グラム程度とするのが好ましい。
【００１８】
第１の収容部21と第２の収容部22の内側には、容器本体１内で処理された生成水を集めるための集水管36が設けられている。この集水管36の下端は本体部５の底面から流出パイプ８に接続しているとともに、集水管36にはほぼ全体にわたって多数の孔部37が形成されている。また、集水管36の上端は、集水キャップ38によって閉塞されている。そして、集水管36の周囲の全面を覆って活性炭カートリッジ39が取り付けられている。
【００１９】
このほか、筐体14の内部には循環ポンプ10，減圧弁15，自動エア抜き弁14などを電気的に制御する制御機器を収容した制御ボックス40、装置の運転，停止を切り替えるための運転スイッチ41などが設けられている。
【００２０】
つぎに、作用を説明する。給水口17を市水に接続し、運転スイッチ41を押すと、制御ボックス40に収容された制御機器によって減圧弁15と自動エア抜き弁14が制御され、給水パイプ３から市水が容器本体１の円柱面４の略接線方向へ供給される。容器本体１が市水で満たされると、循環ポンプ10が始動し、容器本体１の底部から流出パイプ８、循環ポンプ接続パイプ11、循環パイプ12を経由して、水が容器本体１の円柱面４の略接線方向へ循環供給される。
【００２１】
給水パイプ３、循環パイプ12から容器本体１の円柱面４の略接線方向へ供給された水は、容器本体１の円柱面４に沿って回転しながら徐々に容器本体１の中心へ移動して流れ、第１の収容部21に収容されたサンゴ石と第２の収容部22に収容された麦飯石に接触してから集水管36に達する。このように、容器本体１内で水を回転させて流すことによって、水と麦飯石、サンゴ石の接触効率を高めることができる。すなわち、水が回転しながら徐々に回転半径を小さくしながら流れるので、水の回転半径が収容部２の外周部23，29、内周部24，30の半径とほぼ同じになったときに水は麦飯石、サンゴ石が収容された外周部23，29、内周部24，30により囲まれた領域に沿って長時間にわたって流れることになり、その結果、水と麦飯石、サンゴ石の接触効率が高まる。
【００２２】
なお、第１の収容部21においてサンゴ石は、水中にカルシウム、マグネシウムなどのミネラルを溶出させるとともに、水中の銅、鉛、亜鉛などの重金属のイオンを吸着して除去する。また、第２の収容部22において麦飯石は、水中の塩素やトリハロメタンを吸着して除去するとともに、鉄、マンガン、マグネシウムなどのミネラルを溶出して水質を調整し、水中の溶存酸素量を豊富にする。さらに、麦飯石はα線や遠赤外線を放射し、水のクラスター（分子集団）を分解して小さくし、水素イオンを増加させて水を活性水に変化させる。
【００２３】
収容部２を通過した水は、活性炭カートリッジ39により濾過されて微細なごみなどが取り除かれてから集水管36に達する。集水管36に達した水は、循環ポンプ10により再び容器本体１へ循環する。また、必要に応じて、生成水口から処理済みの生成水を取り出すことができる。
【００２４】
また、本体部５から蓋部６を取り外し、第２の収容部22と第１の収容部21を取り出し、第２の収容部22と第１の収容部21をそれぞれ逆さにするだけで、容器本体１を持ち上げたりすることなく簡単に麦飯石、サンゴ石を取り出すことができ、麦飯石、サンゴ石を取り替えるメンテナンスを容易に行うことができる。
【００２５】
以上のように、上記実施例においては、略円柱形状の容器本体１と、この容器本体１の内部に設けられ麦飯石とサンゴ石を収容する収容部２とを備え、水が前記容器本体１の円柱面４の略接線Ｘ方向へ供給されるように構成したものであり、水が容器本体１の円柱面４に沿って容器本体１内を回転しながら流れることによって水が麦飯石とサンゴ石に効果的に接触し、大量のミネラル水を効率よく製造することができる。
【００２６】
また、前記収容部２は、多数の孔部26，27，34，35を有する略円柱形状に形成されるとともに、麦飯石とサンゴ石は、それぞれ前記収容部２の円柱面としての外周部23，29近傍にのみ収容されるように構成したものであり、容器本体１の円柱面４に沿って容器本体１内を回転しながら流れる水が収容部２の外周部23，29に沿って流れることによって、水が麦飯石とサンゴ石に接触する時間が長くなって大量のミネラル水を効率よく製造することができるとともに、麦飯石とサンゴ石の取り替えなどのメンテナンスを容易にできる。
【００２７】
なお、本発明は上記各実施例に限定されるものではなく、種々の変形実施が可能である。例えば、麦飯石とサンゴ石以外のミネラル付与材を用いてもよい。また、活性炭カートリッジを省略してもよい。
【図面の簡単な説明】
【００２８】
【図１】本発明のミネラル水製造装置の一実施例を示す概略図である。
【図２】同上斜視図である。
【図３】同上上面図である。
【図４】同上側面図である。
【符号の説明】
【００２９】
１  容器本体
２  収容部
４  円柱面
23，29  外周部（円柱面）
26，27，34，35  孔部
Ｘ  接線
【図１】
2005230654.tif 000003
【図２】
2005230654.tif 000004
【図３】
2005230654.tif 000005
【図４】
2005230654.tif 000006